(57)【要約】【課題】大当り遊技時の大入賞装置の動作に面白みや意外性を持たせ、大当り遊技の単調さを解消した興趣に富む遊技機の提供を実現することを目的とする。【解決手段】パチンコ遊技機１０は、遊技盤１４の遊技領域１５に、互いの一端縁同士を互いに突合させて回転自在に連結した折り畳み部８５と、折り畳み部８５と反対側の両外側端縁を回転自在及び左右方向に移動可能に遊技盤に支持した支持部８７とを有し、大当り遊技時に折り畳み部８５が遊技盤の前方に突出する方向に折り畳まれ、この状態で技盤面と一対の扉部との間に形成される隙間が大入賞口に通ずる入球口９２となるようにした。【選択図】図６
2009072454.tif 000002
【特許請求の範囲】
【請求項１】
遊技球が転動する遊技領域を有する遊技盤と、
遊技球が通過可能な第１の状態と通過不能な第２の状態とに移行可能な大入賞装置と、
遊技者にとって有利な大当り遊技へ当選するか否かの抽選を行う大当り抽選手段と、
.  前記大当り抽選手段の抽選に基づいて、前記大入賞装置が所定回数前記第１の状態となる大当り遊技を実行する大当り実行制御手段とを備え、
前記大入賞装置は、
前記遊技領域に設けられた大入賞口と、
前記大入賞口に遊技球が通過可能な第１の状態と通過不能な第２の状態とに移行するように、前記遊技領域に設けられた少なくとも一対の扉部とを備え、
前記一対の扉部は、互いの一端縁同士を互いに突合させて回転自在に連結した折り畳み部と、前記折り畳み部と反対側の両外側端縁を回転自在及び左右方向に移動可能に前記遊技盤に支持した支持部とを有し、前記大当り遊技時に前記折り畳み部が前記遊技盤の前方に突出する方向に折り畳まれ、この状態で前記遊技盤面と前記一対の扉部との間に形成される隙間が前記大入賞口に通ずる入球口となるようにしたことを特徴とする遊技機。
【請求項２】
前記大入賞口は、前記遊技盤に前後方向に開口するものであり、
前記一対の扉部は、互いの一端縁同士を互いに突合させて縦方向の枢軸を介して連結した折り畳み部と、前記折り畳み部と反対側の両外側端縁を縦方向の軸を介して回転自在及び左右方向に移動可能に前記遊技盤に取付けた支持部とを有し、前記大入賞口を塞ぐように前記遊技盤に沿って並設されたことを特徴とする請求項１記載の遊技機。
【請求項３】
前記大入賞口は、前記遊技盤に前後方向に開口するものであり、
前記大入賞口の前部に、上部に上向きの開口部を有し、該開口部から前記大入賞口に遊技球を誘導する誘導部材が設けられ、
前記一対の扉部は、互いの一端縁同士を互いに突合させて縦方向の枢軸を介して連結した折り畳み部と、前記折り畳み部と反対側の両外側端縁を縦方向の軸を介して回転自在及び左右方向に移動可能に前記遊技盤に取付けた支持部とを有し、前記一対の扉部の下部には、前記開口部を塞ぐ蓋部材を有し、前記大当り遊技時に前記折り畳み部が前記遊技盤の前方に突出する方向に折り畳まれて前記蓋部材が移動することにより前記開口部を開放することを特徴とする請求項１記載の遊技機。
【請求項４】
前記扉部の下部には、該扉部が折り畳まれたとき、前記入球口に導入された遊技球を受け止めて前記大入賞口に導入する底板が設けられたことを特徴とする請求項１又は２記載の遊技機。
【請求項５】
前記扉部は、複数対が横方向に並設されていることを特徴とする請求項１ないし４のいずれかに記載の遊技機。
【請求項６】
前記遊技領域において、前記大入賞装置を第１大入賞装置とし、該第１大入賞装置よりも下方に位置して、該第１大入賞装置と同一構造又は別構造の第２大入賞装置を設けたことを特徴とする遊技機。
【発明の詳細な説明】
【技術分野】
【０００１】
本発明は、遊技機に関し、特に、大当り遊技時に開放する大入賞装置を設けたパチンコ遊技機に関する。
【背景技術】
【０００２】
従来のパチンコ遊技機では、発射ハンドルを操作することにより、発射手段によって遊技盤に遊技球を打ち込み、始動口に遊技球が入球すると大当り抽選が行われ、これに当選すると大当り遊技に移行する。大当り遊技では、遊技盤に設置された大入賞装置が長時間開放を繰り返し行うことにより、多くの賞球を遊技者に払い出すようにしている。
【０００３】
従来のパチンコ遊技機における大入賞装置は、遊技盤において遊技球が転動する遊技領域の下方に設けられる。この大入賞装置の構造としては、大入賞口を蓋体で閉じ、大当り遊技の際にこの蓋体が前方に倒れることで、大入賞口を開放するもの（特許文献１及び２参照）、あるいは、大入賞口の両端に閉じたり開いたりするように可動するチューリップ状の開閉部材が設けられ、大当り遊技の際にこの開閉部材が両側方に開くことで、大入賞口を開放するもの（特許文献３、４及び５参照）等がある。
【特許文献１】特開２００３−２９９８０３号公報
【特許文献２】特開２００７−１４５９１号公報
【特許文献３】特開２００６−３０６７１３号公報
【特許文献４】特開２００６−３３１２５０２号公報
【特許文献５】特開２００６−２８０７５５号公報
【発明の開示】
【発明が解決しようとする課題】
【０００４】
しかしながら、従来の大入賞装置は、下端部が回転可能に軸支された蓋体が、大当り遊技の際に前方に倒れることで大入賞口を開放するか、又はチューリップ状の開閉部材が両側方に開くことで大入賞口を開放するという単純な構造であるため、大当り遊技時の可動部分の動作も単調であり、大当り時に大入賞口が開放されるときの動作に面白みや意外性に欠けるという傾向にあり、そのため、大当り遊技が単調なものとなっている。
【０００５】
このため、近年、遊技盤に２つの大入賞装置を設け、大当り遊技ごとあるいはラウンドごとにいずれかの大入賞装置を開放するようにして、大当り遊技の単調さを改善しようと試みた遊技機も提供されている。しかしながら、これらの２つの大入賞装置を備えた遊技機においても、大入賞装置自体の構造は従来と変わらず、大入賞装置の動作などは改善されていないため、大当り遊技時の動作も単調であり、大当り時に大入賞口が開放されるときの動作に面白みや意外性に欠け、大当り遊技の単調さを改善するまでには至っていない。
【０００６】
そこで、大入賞装置を備えた遊技機において、大当り遊技時の遊技盤面での動作の面白みや意外性を持たせ、大当り遊技の単調さを解消した遊技機の提供が望まれる。
【０００７】
本発明は、上述した課題に鑑みてなされたものであり、大入賞装置の動作により遊技盤面での変化の面白みや意外性を持たせ、ダイナミックな演出により大当り遊技の単調さを解消した興趣に富む遊技機の提供を実現することを目的とする。
【課題を解決するための手段】
【０００８】
（１）  遊技球が転動する遊技領域を有する遊技盤と、遊技球が通過可能な第１の状態と通過不能な第２の状態とに移行可能な大入賞装置と、遊技者にとって有利な大当り遊技へ当選するか否かの抽選を行う大当り抽選手段と、前記大当り抽選手段の抽選に基づいて、前記大入賞装置が所定回数前記第１の状態となる大当り遊技を実行する大当り実行制御手段とを備え、前記大入賞装置は、前記遊技領域に設けられた大入賞口と、前記大入賞口に遊技球が通過可能な第１の状態と通過不能な第２の状態とに移行するように、前記遊技領域に設けられた少なくとも一対の扉部とを備え、前記一対の扉部は、互いの一端縁同士を互いにつき合させて回転自在に連結した折り畳み部と、前記折り畳み部と反対側の両外側端縁を回転自在及び左右方向に移動可能に前記遊技盤に支持した支持部とを有し、前記大当り遊技時に前記折り畳み部が前記遊技盤の前方に突出する方向に折り畳まれ、この状態で前記遊技盤面と前記一対の扉部との間に形成される隙間が前記大入賞口に通ずる入球口となるようにしたことを特徴とする遊技機。
【０００９】
（１）の発明によれば、大当り遊技以外のときは、一対の扉部が遊技球が通過不能な第２の状態に移行して大入賞口を塞いでおり、大当り遊技時には一対の扉部の折り畳み部が遊技盤の前方に突出する方向に折り畳まれて遊技盤面と一対の扉部との間に隙間が形成され、この隙間が大入賞口に通ずる入球口となり、遊技球が通過可能な第１の状態となり、ここに遊技球が入球して大当り遊技が実行される。このように、遊技領域において一対の扉部が、前後に移動することにより、平面状態及び折り畳み状態に移行し、大入賞口が開閉されるので、従来のシャッタ部材による開閉動作に比べて、扉部の動きにより遊技盤面での変化の面白みや意外性を持たせ、ダイナミックな演出により大当り遊技の単調さを解消した興趣に富む遊技機を提供することができる。
【００１０】
（２）  （１）に記載の遊技機において、前記大入賞口は、前記遊技盤に前後方向に開口するものであり、前記一対の扉部は、互いの一端縁同士を互いに突合させて縦方向の枢軸を介して連結した折り畳み部と、前記折り畳み部と反対側の両外側端縁を縦方向の軸を介して回転自在及び左右方向に移動可能に前記遊技盤に取付けた支持部とを有し、前記大入賞口を塞ぐように前記遊技盤に沿って並設されたことを特徴とする遊技機。
【００１１】
（２）の発明によれば、（１）の発明に加えて、大当り遊技以外のときは、一対の扉部が大入賞口を塞いでおり、大当り遊技時には折り畳み部が遊技盤の前方に突出する方向に折り畳まれて遊技盤面と一対の扉部との間に隙間が形成され、この隙間が大入賞口に通ずる入球口となり、ここに遊技球が入球して大当り遊技が実行される。このように、遊技領域において一対の扉部が、前後に移動することにより、平面状態及び折り畳み状態に移行し、大入賞口が開閉されるので、従来のシャッタ部材による開閉動作に比べて、扉部の動きにより遊技盤面での変化の面白みや意外性を持たせ、ダイナミックな演出により大当り遊技の単調さを解消した興趣に富む遊技機を提供することができる。
【００１２】
（３）  （１）に記載の遊技機において、前記大入賞口は、前記遊技盤に前後方向に開口するものであり、前記大入賞口の前部に、上部に上向きの開口部を有し、該開口部から前記大入賞口に遊技球を誘導する誘導部材が設けられ、前記一対の扉部は、互いの一端縁同士を互いに突合させて縦方向の枢軸を介して連結した折り畳み部と、前記折り畳み部と反対側の両外側端縁を縦方向の軸を介して回転自在及び左右方向に移動可能に前記遊技盤に取付けた支持部とを有し、前記一対の扉部の下部には、前記開口部を塞ぐ蓋部材を有し、前記大当り遊技時に前記折り畳み部が前記遊技盤の前方に突出する方向に折り畳まれて前記蓋部材が移動することにより前記開口部を開放することを特徴とする遊技機。
【００１３】
（３）の発明によれば、（１）の発明に加えて、大当り遊技以外のときは、一対の扉部の蓋部材が誘導部材９６の開口部を塞いでおり、大当り遊技時には折り畳み部が遊技盤の前方に突出する方向に折り畳まれると、蓋部材が移動して誘導部材９６の開口部が開放され、この開口部に遊技球が入球して大入賞口に誘導されて大当り遊技が実行される。このように、遊技領域において一対の扉部が、前後に移動することにより、平面状態及び折り畳み状態に移行し、大入賞口に通ずる入球口が開閉されるので、従来のシャッタ部材による開閉動作に比べて、扉部の動きにより遊技盤面での変化の面白みや意外性を持たせ、ダイナミックな演出により大当り遊技の単調さを解消した興趣に富む遊技機を提供することができる。
【００１４】
（４）  （１）又は（２）に記載の遊技機において、前記扉部の下部には、該扉部が折り畳まれたとき、前記入球口に導入された遊技球を受け止めて前記大入賞口に導入する底板部が設けられたことを特徴とする遊技機。
【００１５】
（４）の発明によれば、（１）又は（２）の発明に加えて、扉部が折り畳まれたとき、入球口に導入された遊技球を底板部が受け止めて大入賞口に導入する。これにより、大入賞口が遊技盤に形成された前後方向に開口する構造であっても、底板部により遊技球の移動方向を変えて大入賞口に導入することができる。このように、遊技領域において一対の扉部が、前後に移動することにより、平面状態及び折り畳み状態に移行し、大入賞口が開閉されるので、従来のシャッタ部材による開閉動作に比べて、扉部の動きにより遊技盤面での変化の面白みや意外性を持たせ、ダイナミックな演出により大当り遊技の単調さを解消した興趣に富む遊技機を提供することができる。
【００１６】
（５）  （１）ないし（４）のいずれかに記載の遊技機において、前記扉部は、複数対が横方向に並設されていることを特徴とする遊技機。
【００１７】
（５）の発明によれば、（１）ないし（４）の発明に加えて、複数対の扉部材を横方向に並設することにより、それぞれの扉部材の折り畳み時に、大入賞口に通ずる複数の入球口が形成され、大当り遊技のとき複数の入球口に遊技球が入球する様子を楽しむことができる。このように、遊技領域において一対の扉部が、前後に移動することにより、平面状態及び折り畳み状態に移行し、大入賞口が開閉されるので、従来のシャッタ部材による開閉動作に比べて、扉部の動きにより遊技盤面での変化の面白みや意外性を持たせ、ダイナミックな演出により大当り遊技の単調さを解消した興趣に富む遊技機を提供することができる。
【００１８】
（６）  （１）ないし（５）のいずれかに記載の遊技機において、前記遊技領域において、前記大入賞装置を第１大入賞装置とし、該第１大入賞装置よりも下方に位置して、該第１大入賞装置と同一構造又は別構造の第２大入賞装置を設けたことを特徴とする遊技機。
【００１９】
（６）の発明によれば、（１）ないし（５）の発明に加えて、前記第１大入賞装置の下方に、同一構造又は別構造の第２大入賞装置を設けることにより、大当り遊技ごとあるいはラウンドごとに第１大入賞装置又は第２大入賞装置のいずれかを開放することが可能となる。これにより、例えば、第１大入賞装置が閉鎖状態で第２大入賞装置が開放されている場合は、遊技球は第１大入賞装置に当たると跳ね返されて落下し、第２大入賞装置に入球し、あるいは、開放されている方の大入賞装置を狙うなどの遊技を楽しむことができ、第１大入賞装置及び第２大入賞装置の変化の面白みや意外性とあいまって、大当り遊技の単調さを解消することができる。このように、遊技領域において一対の扉部が、前後に移動することにより、平面状態及び折り畳み状態に移行し、大入賞口が開閉されるので、従来のシャッタ部材による開閉動作に比べて、扉部の動きにより遊技盤面での変化の面白みや意外性を持たせ、ダイナミックな演出により大当り遊技の単調さを解消した興趣に富む遊技機を提供することができる。
【発明の効果】
【００２０】
本発明によれば、大当り遊技時において、周囲に受け部を有する回転体が回転することにより、大入賞口に遊技球が送り込まれるので、従来のシャッタ部材による開閉動作に比べて、回転体の動きにより遊技盤面での変化の面白みや意外性を持たせ、ダイナミックな演出により大当り遊技の単調さを解消した興趣に富む遊技機を提供することができる。
【発明を実施するための最良の形態】
【００２１】
以下に、本発明に好適な実施形態について図面に基づいて説明する。
【００２２】
［実施例１］
［遊技機の構成］
まず、遊技機の概観について図１乃至図４を用いて説明する。図１は、本実施形態におけるパチンコ遊技機１０の概観を示す斜視図である。また、図２は、本実施形態におけるパチンコ遊技機１０の概観を示す分解斜視図である。また、図３は、本実施形態における遊技盤１４の概観を示す正面図である。また、図４は、大入賞装置の拡大正面図である。また、図５は、図４のＡ−Ａ線断面図である。
【００２３】
図１乃至図３に示すように、パチンコ遊技機１０は、前面に開口１２ａが形成された本体枠１２と、その本体枠１２における開口１２ａの内部に配設される各種の部品と、本体枠１２の前方に開閉自在に軸着された扉１１とから構成されている。この扉１１は、図１に示すように、開口１２ａを前面から閉鎖するためのものであり、通常閉鎖した状態で遊技が行われる。また、本体枠１２の前面には、上皿２０、下皿２２、発射ハンドル２６などが配設されている。さらに、扉１１の上部には、スピーカ（図示せず）が設けられている。
【００２４】
本体枠１２の開口１２ａ内部には、液晶表示装置３２と、遊技盤１４などが配設されている。なお、遊技盤１４、スペーサー３１、液晶表示装置３２以外の各種の部品（図示せず）については、理解を容易にするために説明を省略する。
【００２５】
遊技盤１４は、その全部が透過性を有する板形状の樹脂（透過性を有する部材）によって形成されている。この透過性を有する部材としては、例えば、アクリル樹脂、ポリカーボネート樹脂、メタクリル樹脂など各種の材質が該当する。また、遊技盤１４は、その前面側に、発射された遊技球が転動可能な遊技領域１５を有している。この遊技領域１５は、ガイドレール３０（具体的には後述の図３に示す外レール３０ａ）に囲まれ、遊技媒体の一例である遊技球が転動可能な領域である。また、遊技盤１４における遊技領域１５には、複数の遊技釘１３が打ちこまれている。
【００２６】
液晶表示装置３２は、遊技盤１４の後方（背面側）に配設されている。すなわち、液晶表示装置３２は、遊技盤１４の透過性を有する部材の背後に配置されている。この液晶表示装置３２は、遊技に関する画像の表示を可能とする表示領域３２ａを有している。この表示領域３２ａは、遊技盤１４の全部又は一部に、背面側から重なるように配設される。言い換えると、この表示領域３２ａは、少なくとも、遊技盤１４における遊技領域１５の全部又は一部と重なるように遊技盤１４の後方に配設される。具体的には、液晶表示装置３２は、その表示領域３２ａが遊技領域１５の全部又は一部と、遊技領域外域１６の全部又は一部とに重なるように遊技盤１４の後方に配設される。この液晶表示装置３２における表示領域３２ａには、演出用の演出画像、装飾用の装飾画像など、各種の画像が表示される。特に、液晶表示装置３２における表示領域３２ａでは、大当たり遊技状態（特別遊技状態）に移行後、特別遊技の実行中に演出用の演出画像が表示される。
【００２７】
このように、本実施形態において、液晶表示装置３２などの表示装置を遊技盤１４の背後に設けることにより、例えば、遊技釘の植設領域や役物、装飾部材といった遊技部材を設ける領域を大きくし、レイアウトの自由度もさらに大きくすることが可能である。
【００２８】
扉１１には、透過性を有する保護板１９が配設されている。この保護板１９は、扉１１が閉鎖された状態で遊技盤１４の前面に対面するように配設されている。
【００２９】
発射ハンドル２６は本体枠１２に対して回動自在に設けられている。また、発射ハンドル２６の裏側には、駆動装置である発射ソレノイド（図示せず）が設けられている。さらに、発射ハンドル２６の周縁部には、タッチセンサ（図示せず）が設けられている。このタッチセンサが遊技者により触接されたときには、遊技者により発射ハンドル２６が握持されたと検知される。発射ハンドル２６が遊技者によって握持され、かつ、時計回り方向へ回動操作されたときには、その回動角度に応じて発射ソレノイドに電力が供給され、上皿２０に貯留された遊技球が遊技盤１４に順次発射され、遊技が進められる。
【００３０】
図３に示されるように、遊技盤１４の左下方には、特別図柄表示器３５ａ、普通図柄表示器３３、特別図柄保留ランプ３４ａ〜３４ｄ、普通図柄保留ランプ５０ａ〜５０ｄ、ラウンド数表示器５１ａ〜５１ｄが設けられている。また、遊技盤１４の右下方には、特別図柄表示器３５ｂ、特別図柄保留ランプ３４ｅ〜３４ｈが設けられている。
【００３１】
特別図柄表示器３５ａは、複数の７セグメントＬＥＤで構成されている。この７セグメントＬＥＤは、所定の特別図柄の変動表示開始条件の成立により、点灯・消灯を繰り返す。７セグメントＬＥＤの点灯・消灯によって、図柄が特別図柄（第１識別情報ともいう）として変動表示される。この特別図柄として、特定の図柄（例えば、“２１”又は“６４”などの数字図柄）が停止表示された場合は、通常遊技状態から遊技者に有利な状態である大当たり遊技状態（特別遊技状態）に遊技状態が移行する。この大当たり遊技状態となった場合には、後述するように、扉部８１ａ、８１ｂが開放状態に制御され、大入賞口８６（図６参照）に遊技球が受け入れ可能な状態となる。一方、特別図柄として、特定の図柄以外の図柄（例えば、“‐‐”）が停止表示された場合は、通常遊技状態が維持される。以上のように、特別図柄が変動表示された後、停止表示され、その結果によって遊技状態が移行又は維持されるゲームを「特別図柄ゲーム」という。
【００３２】
特別図柄表示器３５ａの下方には、普通図柄表示器３３が設けられている。普通図柄表示器３３は、二つの表示用ランプで構成されており、これら表示用ランプが交互に点灯・消灯を繰り返すことによって、普通図柄として変動表示される。
【００３３】
普通図柄表示器３３の下方には、特別図柄保留ランプ３４ａ〜３４ｄが設けられている。この特別図柄保留ランプ３４ａ〜３４ｄは、点灯又は消灯によって保留されている特別図柄の変動表示の実行回数（いわゆる、「第１始動記憶」、「保留球個数」、「特別図柄に関する保留球個数」）を表示する。例えば、メインＲＡＭ７０（図７参照）の第１始動記憶領域に特別図柄の変動表示の実行が１回分保留されている場合には、特別図柄保留ランプ３４ａが点灯する。
【００３４】
普通図柄表示器３３の下方には、普通図柄保留ランプ５０ａ〜５０ｄが設けられている。この普通図柄保留ランプ５０ａ〜５０ｄは、後述するように、点灯又は消灯によって保留されている普通図柄の変動表示の実行回数（いわゆる、「保留球個数」、「普通図柄に関する保留球個数」）を表示する。特別図柄と同様に、普通図柄の変動表示の実行が１回分保留されている場合には、普通図柄保留ランプ５０ａが点灯する。
【００３５】
特別図柄表示器３５ａの左側には、ラウンド数表示器５１ａ〜５１ｄが設けられている。このラウンド数表示器５１ａ〜５１ｄは、特別遊技の実行中においてラウンド数を表示する。なお、このラウンド数表示器５１ａ〜５１ｄは、４つのＬＥＤから構成されており、ＬＥＤごとに点灯と消灯の２つのパターンがあるので、少なくとも１６パターンの表示が可能である（２の４乗パターン）。なお、ラウンド数表示器５１は、複数の８セグメントＬＥＤ、液晶表示部、透過性を有する液晶表示部などから構成される場合もある。
【００３６】
特別図柄表示器３５ｂは、複数の７セグメントＬＥＤで構成されている。この７セグメントＬＥＤは、所定の特別図柄の変動表示開始条件の成立により、点灯・消灯を繰り返す。７セグメントＬＥＤの点灯・消灯によって図柄が、特別図柄（第２識別情報ともいう）として変動表示される。この特別図柄として、特定の図柄（例えば、“２１”、“５０”又は“６４”などの数字図柄）が停止表示された場合は、通常遊技状態から遊技者に有利な状態である大当たり遊技状態（特別遊技状態）に遊技状態が移行する。この大当たり遊技状態となった場合には、後述するように、シャッタ４０が開放状態に制御され、大入賞口３９に遊技球が受け入れ可能な状態となる。一方、特別図柄として、特定の図柄以外の図柄（例えば、“‐‐”）が停止表示された場合は、通常遊技状態が維持される。以上のように、特別図柄が変動表示された後、停止表示され、その結果によって遊技状態が移行又は維持されるゲームを「特別図柄ゲーム」という。
【００３７】
特別図柄表示器３５ｂの右方には、特別図柄保留ランプ３４ｅ〜３４ｈが設けられている。この特別図柄保留ランプ３４ｅ〜３４ｈは、点灯又は消灯によって保留されている特別図柄の変動表示の実行回数（いわゆる、「第２始動記憶」、「保留球個数」、「特別図柄に関する保留球個数」）を表示する。例えば、メインＲＡＭ７０（図参照）の第２始動記憶領域に特別図柄の変動表示の実行が１回分保留されている場合には、特別図柄保留ランプ３４ｅが点灯する。
【００３８】
また、遊技盤１４の後方（背面側）に配設されている液晶表示装置３２の表示領域３２ａでは、特別図柄表示器３５（３５ａ、３５ｂ）において表示される特別図柄と関連する演出画像が表示される。
【００３９】
例えば、特別図柄表示器３５で表示される特別図柄の変動表示中においては、液晶表示装置３２の表示領域３２ａにおいて、数字や記号などからなる識別図柄（演出用の識別情報でもある。例えば、“０”から“９”までの数字）が変動表示される。また、特別図柄表示器３５において変動表示されていた特別図柄が停止表示されるとともに、液晶表示装置３２の表示領域３２ａでも演出用の識別情報が停止表示される。
【００４０】
また、特別図柄表示器３５において特別図柄として特定の数字図柄が停止表示された場合には、大当たりであることを遊技者に把握させる演出画像が液晶表示装置３２の表示領域３２ａにおいて表示される。具体的には、特別図柄表示器３５において特別図柄として特定の数字図柄が停止表示された場合には、液晶表示装置３２の表示領域３２ａにおいて表示される演出用の識別情報の組合せが特定の表示態様（例えば、複数の図柄列のそれぞれに“１”から“９”のいずれかが全て揃った状態で停止表示される態様）となり、さらに、「大当たり！！」などの文字画像とともに、喜んでいるキャラクタ画像が液晶表示装置３２の表示領域３２ａにおいて表示される。
【００４１】
図３に示すように、二つのガイドレール３０（３０ａ及び３０ｂ）、ステージ５５、通過ゲート５４ａ、５４ｂ、障害物５７、第１始動口２５、普通電動役物４８を有する第２始動口４４、大入賞装置８０、一般入賞口５６ａ、５６ｂ、５６ｃ、５６ｄなどの遊技部材が遊技盤１４上に設けられている。
【００４２】
遊技盤１４の左側に設けられている二つのガイドレール３０は、遊技領域１５を区画（画定）する外レール３０ａと、その外レール３０ａの内側に配設された内レール３０ｂとから構成される。発射された遊技球は、遊技盤１４上に設けられたガイドレール３０に案内されて、遊技盤１４の上部に移動し、前述した複数の遊技釘１３、遊技盤１４上に設けられたステージ５５、障害物５７などとの衝突により、その進行方向を変えながら遊技盤１４の下方に向かって流下する。
【００４３】
遊技盤１４の略中央部にはステージ５５が設けられ、遊技盤１４におけるステージ５５の上部には障害物５７が設けられている。ステージ５５の下方には、第２始動口４４を形成する普通電動役物４８が設けられており、さらに、普通電動役物４８の下部には、第２始動口４４を形成する役物が設けられている。さらに、第２始動口４４を形成する役物の下部には、大入賞装置８０が設けられている。また、ステージ５５の左方には、通過ゲート４１が設けられている。
【００４４】
この障害物５７の両側部にはステージ５５に遊技球を進入させるための孔部５７ａ、５７ｂが設けられている。すなわち、発射ハンドル２６の操作によって遊技盤１４に打ち出された遊技球において、障害物５７に衝突した遊技球は障害物５７に沿って左右いずれかに流下する。また、孔部５７ａ、５７ｂに進入した遊技球のみがステージ５５に案内される。ステージ５５には、中央の孔部５５ａと、この孔部５５ａの両側部に孔部５５ｂ、５５ｃとが形成されている。ステージ５５に案内された遊技球は、孔部５５ａ又は孔部５５ｂ、５５ｃのいずれかに入球する。孔部５５ａに入球した遊技球は、案内路（図示せず）を介して孔部５５ａの直下に形成された排出口５５ｄから遊技盤１４に戻される。孔部５５ｂ、５５ｃに入球した遊技球は、直接遊技盤１４に戻される。
【００４５】
図４は、本発明の第１実施形態のパチンコ遊技機における大入賞装置の拡大正面図、図５は、扉部の分解斜視図、図６は、図４のA−A線断面図、図７は、扉部の折り畳み状態を示す断面図である。
【００４６】
図４、図５、図６及び図７に示すように、遊技盤１４の下部に設けられた大入賞装置８０は、遊技盤１４に形成された大入賞口８６と、この大入賞口８６の前部に設けられた一対の扉部８１ａ、８１ｂとを備えている。
【００４７】
図５に示すように、一対の扉部８１ａ、８１ｂの内端縁には、間隔をおいて軸受け部８２が形成され、この軸受け部８２を互いに嵌合させるとともに、それぞれの軸孔８３に軸８４を挿入することにより、一対の扉部８１ａ、８１ｂを回転自在に連結して折り畳み部８５を構成している。また、一対の扉部８１ａ、８１ｂの両外側端縁には移動軸８７が設けられ、この軸８７の上下端に設けられたガイド片８９、９０を介して上下のガイドレール９３，９４に移動可能に支持されている。扉部８１ａ、８１ｂの下部には三角形状の底板９１が形成されている。扉部８１ａ、８１ｂは、モータ等の扉部駆動アクチュエータ１２３（図８参照）により、図６の閉鎖状態と、図７の開放状態に移動するようになっている。
【００４８】
図６に示すように、大当り遊技以外の通常遊技時には、扉部８１ａ、８１ｂは遊技盤１４の面と平行状態になっており、この状態では大入賞口８６を閉鎖し、遊技球が通過不能な第２の状態となっている。大当り遊技に当選すると、扉部駆動アクチュエータ１２３により、扉部８１ａ、８１ｂが図７のように、折り畳み部８５が遊技領域１５の前方に突出状態に折り畳まれることにより、遊技盤１４の前部と扉部８１ａ、８１ｂの後部の間に、上から見て三角形状の空間が形成され、この空間が入球口９２となり、遊技球が入球されることになる。入球口９２に入球された遊技球は底板９１に受け止められて、大入賞口８６に送り込まれ、大当り遊技が実行される。
【００４９】
このように、大当り遊技の際、一対の扉部８１ａ、８１ｂの折り畳み部が遊技盤の前方に折り畳まれて入球口９２が形成され、遊技球を大入賞口８６に送り込むことにより、従来の前傾斜のシャッタ部材とは異なった興趣のある動作となる。このように、大入賞装置８０は、遊技領域に設けられた大入賞口と、前記大入賞口に遊技球が通過可能な第１の状態と通過不能な第２の状態とに移行するように、前記遊技領域に設けられた少なくとも一対の扉部とを備え、前記一対の扉部は、互いの一端縁同士を互いにつき合させて回転自在に連結した折り畳み部と、前記折り畳み部と反対側の両外側端縁を回転自在及び左右方向に移動可能に前記遊技盤に支持した支持部とを有し、前記大当り遊技時に前記折り畳み部が前記遊技盤の前方に突出する方向に折り畳まれ、この状態で前記遊技盤面と前記一対の扉部との間に形成される隙間が前記大入賞口に通ずる入球口となるようにした大入賞装置の一例である。
【００５０】
上記大入賞装置８０には、カウントセンサ１０２（図８参照）を有する領域（図示せず）があり、この領域を遊技球が所定個数（例えば１０個）通過するか、又は、所定時間（例えば３０秒）が経過するまで扉部８１ａ、８１ｂが折り畳まれる。そして、大入賞口８６へ所定数の遊技球の入球又は所定時間の経過のいずれかの条件が成立すると、扉部８１ａ、８１ｂが閉鎖され、その結果、大入賞口８６へ遊技球を受け入れられなくなる。なお、大入賞口８６へ遊技球を受け入れられる状態から受け入れられない状態までの遊技をラウンドゲームという。従って、扉部８１ａ、８１ｂは、ラウンドゲーム時に折り畳み状態、各ラウンドゲーム間では閉鎖状態となる。
【００５１】
続いて、閉鎖状態にされた扉部８１ａ、８１ｂは、大入賞口８６に受け入れられた遊技球がカウントセンサ１０２を通過したことを条件に、再度折り畳み状態（開放状態）に駆動される。つまり、扉部８１ａ、８１ｂの折り畳み状態において大入賞口８６に受け入れられた遊技球がカウントセンサ１０２を通過したことを条件に、次のラウンドゲームへ継続して進むことができる。なお、第１ラウンドのラウンドゲームから、次のラウンドゲームに継続して進むことができない（最終の）ラウンドゲームが終了するまでの遊技を特別遊技という。
【００５２】
特別遊技の実行中において、最初のラウンド数から最もラウンドゲームが継続された場合の最後のラウンドゲームまでのラウンド数（最大継続ラウンド数）は、停止表示された特別図柄によって異なる。例えば、本実施形態において、特別図柄表示器３５（３５ａ、３５ｂ）に停止表示される図柄が“６４”の場合は、最大継続ラウンド数は７ラウンドであり、特別図柄表示器３５（３５ａ、３５ｂ）に停止表示される図柄が“２１”の場合は、最大継続ラウンド数は７ラウンドであり、特別図柄表示器３５（３５ｂ）に停止表示される図柄が“５０”の場合は、最大継続ラウンド数は２ラウンドとなる。なお、最大継続ラウンド数は２ラウンド又は１５ラウンドに限定されない。例えば、最大継続ラウンド数は、ラウンド数抽選手段（メインＣＰＵ６６を含む主制御回路６０（図５参照））による抽選により、“１”ラウンドから“１５”ラウンドまでの間から選択されるようにしてもよい。
【００５３】
また、前述した一般入賞口５６ａ〜５６ｄ、大入賞装置８０における特定領域及び一般領域に遊技球が入賞又は通過したときには、それぞれの入賞口の種類に応じて予め設定されている数の遊技球が上皿２０又は下皿２２に払い出される。
【００５４】
［遊技機の電気的構成］
図８は、本実施形態におけるパチンコ遊技機１０の制御回路を示すブロック図である。本実施形態におけるパチンコ遊技機１０の制御回路について図５を用いて説明する。
【００５５】
遊技制御手段としての主制御回路６０は、図８に示すように、制御手段であるメインＣＰＵ６６、メインＲＯＭ（読み出し専用メモリ）６８、記憶手段の一例であるメインＲＡＭ（読み書き可能メモリ）７０を備えている。この主制御回路６０は、遊技の進行を制御する。
【００５６】
メインＣＰＵ６６には、メインＲＯＭ６８、メインＲＡＭ７０などが接続されており、このメインＲＯＭ６８に記憶されたプログラムに従って、各種の処理を実行する機能を有する。このように、このメインＣＰＵ６６は、例えば、大当たり抽選手段、大当たり実行制御手段、実行制御手段として機能するなど、後述する各種の手段として機能することとなる。
【００５７】
メインＲＯＭ６８には、メインＣＰＵ６６によりパチンコ遊技機１０の動作を制御するためのプログラムが記憶されており、その他には、乱数抽選によって大当たり判定をする際に参照される特別図柄決定テーブル（図示せず）、可動部材長さ設定テーブル（図示せず）などの各種のテーブルも記憶されている。
【００５８】
メインＲＡＭ７０は、メインＣＰＵ６６の一時記憶領域として種々のフラグや変数の値を記憶する機能を有する。メインＲＡＭ７０に記憶されるデータの具体例としては、以下のようなものがある。
【００５９】
メインＲＡＭ７０には、制御状態フラグ、特定領域通過フラグ、大当たり判定用乱数カウンタ、大当たり図柄決定用乱数カウンタ、はずれ図柄決定用乱数カウンタ、リーチパターン選択用乱数カウンタ、演出条件選択用乱数カウンタ、大入賞口開放回数カウンタ、大入賞口入賞カウンタ、ラウンド数表示用カウンタ、ラウンド数表示器演出始動用カウンタ、待ち時間タイマ、大入賞口開放時間タイマ、第１始動記憶に係る特別図柄に関する保留球個数を示すデータ、第２始動記憶に係る特別図柄に関する保留球個数を示すデータ、普通図柄に関する保留球個数を示すデータ、後述する副制御回路２００にコマンドを供給するためのデータ、変数などが位置付けられている。
【００６０】
制御状態フラグは、特別図柄ゲームの制御状態を示すものである。特定領域通過フラグは、遊技球が特定領域を通過したか否かを判断するためのものである。
【００６１】
大当たり判定用乱数カウンタは、特別図柄の大当たりを判定するためのものである。大当たり図柄決定用乱数カウンタは、特別図柄の大当たりを判定した場合に、停止表示される特別図柄を決定するためのものである。はずれ図柄決定用乱数カウンタは、大当たりではない場合に停止表示する特別図柄を決定するためのものである。リーチパターン選択用乱数カウンタは、リーチパターンを決定するためのものである。演出条件選択用乱数カウンタは、演出用の変動パターンを決定するためのものである。ラウンド数表示器演出始動用カウンタは、通常遊技の実行中にラウンド数表示器に表示を行わせるか決定するためのものである。これらのカウンタは、メインＣＰＵ６６により順次“１”増加するように記憶更新されており、所定のタイミングで各カウンタから乱数値を抽出することにより、メインＣＰＵ６６の各種の機能を実行することとなる。なお、本実施形態においては、このような乱数カウンタを備え、プログラムに従って、メインＣＰＵ６６が、乱数カウンタを“１”増加させるように記憶更新する構成としたが、これに限らず、別個に、乱数発生器のような装置を備えるように構成してもよい。
【００６２】
待ち時間タイマは、主制御回路６０と副制御回路２００とにおいて実行される処理の同期を取るためのものである。また、大入賞口開放時間タイマは、シャッタ４０を駆動させ、大入賞口３９を開放する時間を計測するためのものである。なお、本実施形態におけるタイマは、メインＲＡＭ７０において、所定の周期で、その所定の周期だけ減算されるように記憶更新されるが、これに限らず、ＣＰＵなど自体がタイマを備えていてもよい。
【００６３】
大入賞口開放回数カウンタは、大当たり遊技状態における大入賞口の開放回数（いわゆるラウンド数）を示すものである。また、大入賞口入賞カウンタは、１ラウンド中に大入賞装置８０の大入賞口８６に入球し、カウントセンサ１０２を通過した遊技球の数を示すものである。
【００６４】
第１始動口２５へ遊技球が入賞したが、特別図柄の変動表示が実行できないときに、特別図柄ゲームの開始数が保留される。第１始動記憶に係る特別図柄に関する保留球個数を示すデータは、その保留されている特別図柄ゲームの保留回数を示すものであり、この保留回数は所定回数を上限（本実施形態においては４回）としている。
【００６５】
第２始動口４４へ遊技球が入賞したが、特別図柄の変動表示が実行できないときに、特別図柄ゲームの開始がとして保留される。第２始動記憶に係る特別図柄に関する保留球個数を示すデータは、その保留されている特別図柄ゲームの保留回数を示すものであり、この保留回数は所定回数を上限（本実施形態においては４回）としている。
【００６６】
すなわち、本実施形態においては、第１始動口２５への遊技球の入賞により、最大４回の特別図柄ゲームの実行が保留され、また、第２始動口４４への遊技球の入賞により、最大４回の特別図柄ゲームの実行が保留される。このため、合計して最大８個の特別図柄ゲームの保留回数を確保することが可能になる。
【００６７】
遊技球が通過ゲート５４ａ、５４ｂを通過したが、普通図柄の変動表示が実行できないときに、普通図柄ゲームの開始を保留される。普通図柄に関する保留球個数を示すデータは、その保留されている普通図柄ゲームの保留回数を示すものである。ラウンド数表示用カウンタは、液晶表示装置３２において表示されるラウンド数を示すものである。
【００６８】
また、この主制御回路６０は、所定の周波数のクロックパルスを生成するリセット用クロックパルス発生回路７６、電源投入時においてリセット信号を生成する初期リセット回路６４、後述する副制御回路２００に対してコマンドを供給するためのシリアル通信用ＩＣ７２を備えている。また、これらのリセット用クロックパルス発生回路７６、初期リセット回路６４、シリアル通信用ＩＣ７２は、メインＣＰＵ６６に接続されている。なお、このリセット用クロックパルス発生回路７６は、後述するシステムタイマ割込処理を実行するために、所定の周期（例えば２ミリ秒）ごとにクロックパルスを発生する。
【００６９】
また、主制御回路６０には、各種の装置が接続されており、例えば、図９に示すように、カウントセンサ１０２、一般入賞球センサ１０６、１０８、１１０、１１２、通過球センサ１１４、１１５、第１始動入賞球センサ１１７、第２始動入賞球センサ１１６、普通電動役物ソレノイド１１８、扉駆動アクチュエータ１２３、バックアップクリアスイッチ１２４が接続されている。
【００７０】
カウントセンサ１０２は、大入賞装置８０における所定の領域（大入賞口８６に送り込まれた遊技球が通過する領域）に設けられている。このカウントセンサ１０２は、大入賞装置８０における所定領域を遊技球が通過した場合に、所定の検知信号を主制御回路６０に供給する。
【００７１】
一般入賞球センサ１０６、１０８、１１０、１１２は、一般入賞口５６ａ〜５６ｄにそれぞれ設けられている。この一般入賞球センサ１０６、１０８、１１０、１１２は、各一般入賞口５６ａ〜５６ｄを遊技球が通過した場合に、所定の検知信号を主制御回路６０に供給する。
【００７２】
通過球センサ１１４、１１５は、通過ゲート５４ａ、５４ｂにそれぞれ設けられている。この通過球センサ１１４、１１５は、通過ゲート５４ａ、５４ｂをそれぞれ遊技球が通過した場合に、所定の検知信号を主制御回路６０に供給する。
【００７３】
第１始動入賞球センサ１１７は、第１始動口２５に設けられている。この第１始動入賞球センサ１１７は、第１始動口２５を遊技球が通過した場合に、所定の検知信号を主制御回路６０に供給する。
【００７４】
第２始動入賞球センサ１１６は、第２始動口（入賞領域）４４に設けられている。この第２始動入賞球センサ１１６は、第２始動口４４を遊技球が通過した場合に、所定の検知信号を主制御回路６０に供給する。
【００７５】
普通電動役物ソレノイド１１８は、リンク部材（図示せず）を介して普通電動役物４８に設けられる羽根部材に接続されており、メインＣＰＵ６６から供給される駆動信号に応じて、羽根部材を開放状態又は閉鎖状態とする。
【００７６】
扉駆動アクチュエータ１２３は、メインＣＰＵ６６から供給される駆動信号に応じて、扉部８１ａ、８１ｂを駆動させ、大入賞口８６に遊技球を入球させる。
【００７７】
バックアップクリアスイッチ１２４は、パチンコ遊技機１０に内蔵されており、電断時などにおけるバックアップデータを遊技場の管理者の操作に応じてクリアする機能を有する。例えば、筐体の電源を落とすことにより、結果データがリセットされる。
【００７８】
主制御回路６０には、払出・発射制御回路１２６が接続されている。この払出・発射制御回路１２６には、遊技球の払出を行う払出装置１２８、遊技球の発射を行う発射装置１３０、カードユニット１５０が接続されている。
【００７９】
この払出・発射制御回路１２６は、主制御回路６０から供給される賞球制御コマンド、カードユニット１５０から供給される貸し球制御信号を受け取り、払出装置１２８に対して所定の信号を送信することにより、払出装置１２８に遊技球を払い出させる。また、払出・発射制御回路１２６は、発射装置１３０に対して発射信号を供給することにより、遊技球を発射させる制御を行う。
【００８０】
また、発射装置１３０には、前述した発射ソレノイド、タッチセンサなどの遊技球を発射させるための装置が備えられている。発射ハンドル２６が遊技者によって握持され、かつ、時計回り方向へ回動操作されたときには、その回動角度に応じて発射ソレノイドに電力が供給され、上皿２０に貯留された遊技球が発射ソレノイドにより遊技盤１４に順次発射される。
【００８１】
さらに、主制御回路６０には、ランプ７４が接続されている。主制御回路６０は、ランプ７４に対してランプ（ＬＥＤ）制御信号を供給する。なお、ランプ７４には、白熱電球、ＬＥＤなど、具体的には、特別図柄保留ランプ３４ａ〜３４ｈ、普通図柄保留ランプ５０ａ〜５０ｄ、特別図柄表示器３５ａ（７セグメントＬＥＤ）、特別図柄表示器３５ｂ（７セグメントＬＥＤ）、普通図柄表示器３３（表示用ランプ）などが含まれる。
【００８２】
一方、シリアル通信用ＩＣ７２には、副制御回路２００が接続されている。この副制御回路２００は、主制御回路６０から供給される各種のコマンドに応じて、液晶表示装置３２における表示制御、スピーカ４６から発生させる音声に関する制御、ランプ１３２の制御などを行う。なお、ランプ１３２には、白熱電球、ＬＥＤなど、具体的には、遊技盤１４上を明暗表示する装飾ランプ（図示せず）などが含まれる。
【００８３】
なお、本実施形態においては、主制御回路６０から副制御回路２００に対してコマンドを供給するとともに、副制御回路２００から主制御回路６０に対して信号を供給できないように構成したが、これに限らず、副制御回路２００から主制御回路６０に対して信号を送信できるように構成しても問題ない。
【００８４】
副制御回路２００は、サブＣＰＵ２０６、プログラムＲＯＭ２０８、ワークＲＡＭ２１０、液晶表示装置３２における表示制御を行うための表示制御手段としての表示制御回路２５０、スピーカ４６から発生させる音声に関する制御を行う音声制御回路２３０、ランプや可動役物に関する制御を行う駆動回路２４０を備える。副制御回路２００は、主制御回路６０からの指令に応じて遊技の進行に応じた演出を実行する。
【００８５】
サブＣＰＵ２０６には、プログラムＲＯＭ２０８、ワークＲＡＭ２１０などが接続されている。サブＣＰＵ２０６は、このプログラムＲＯＭ２０８に記憶されたプログラムに従って、各種の処理を実行する機能を有する。特に、サブＣＰＵ２０６は、主制御回路６０から供給される各種のコマンドに従って、副制御回路２００の制御を行う。サブＣＰＵ２０６は、後述する各種の手段として機能することとなる。
【００８６】
プログラムＲＯＭ２０８には、サブＣＰＵ２０６によりパチンコ遊技機１０の遊技演出を制御するためのプログラムや各種テーブルが記憶されている。
【００８７】
また、プログラムＲＯＭ２０８には、複数種類の演出パターンが記憶されている。この演出パターンは、特別図柄の変動表示に関連して実行される演出表示の進行に関するものである。その他にも、プログラムＲＯＭ２０８には、複数種類の特別遊技の実行中の演出パターンが記憶されている。この特別遊技の実行中の演出パターンは、特別遊技におけるラウンドゲームに関連して実行される演出表示の進行に関するものである。また、プログラムＲＯＭ２０８には、出力情報画像表示報知演出後、出力情報画像などを表示するまでの時間を定める出力情報画像表示タイマが記憶されている。また、プログラムＲＯＭ２０８には、リーチ演出の表示期間を定めたリーチ時間テーブルが記憶されている。
【００８８】
なお、本実施形態においては、プログラム、テーブルなどを記憶する記憶手段として、主制御回路６０ではメインＲＯＭ６８を、副制御回路２００ではプログラムＲＯＭ２０８を用いるように構成したが、これに限らず、制御手段を備えたコンピュータにより読み取り可能な記憶媒体であれば別態様であってもよく、例えば、ハードディスク装置、ＣＤ−ＲＯＭ及びＤＶＤ−ＲＯＭ、ＲＯＭカートリッジなどの記憶媒体に、プログラム、テーブルなどが記録されていてもよい。もちろん、プログラムＲＯＭ２０８の代替としてメインＲＯＭ６８を用いてもよい。また、これらのプログラムは、予め記録されているものでなくとも、電源投入後にこれらのプログラムをダウンロードし、主制御回路６０ではメインＲＡＭ７０、副制御回路２００ではワークＲＡＭ２１０などに記録されるものでもよい。さらにまた、プログラムの各々が別々の記憶媒体に記録されていてもよい。
【００８９】
ワークＲＡＭ２１０は、サブＣＰＵ２０６の一時記憶領域として種々のフラグや変数の値を記憶する機能を有する。例えば、リーチ演出時間を制御するためのタイマ変数、演出パターンを選択するための演出表示選択用乱数カウンタなど、各種の変数などが位置付けられている。
【００９０】
なお、本実施形態においては、メインＣＰＵ６６の一時記憶領域としてメインＲＡＭ７０を、サブＣＰＵ２０６の一時記憶領域としてワークＲＡＭ２１０を用いているが、これに限らず、読み書き可能な記憶媒体であればよい。
【００９１】
駆動回路２４０は、ドライブ回路２４２と、装飾データＲＯＭ２４４を備え、サブＣＰＵ２０６に接続されている。ドライブ回路を介してランプ１３２の発光を制御する。
【００９２】
表示制御回路２５０は、画像データプロセッサ（以下、ＶＤＰと称する）２１２、各種の画像データを記憶する画像データＲＯＭ２１６、画像データを画像信号として変換するＤ／Ａコンバータ２１８、電源投入時においてリセット信号を生成する初期リセット回路２２０から構成されている。
【００９３】
上述したＶＤＰ２１２は、サブＣＰＵ２０６、画像データＲＯＭ２１６、Ｄ／Ａコンバータ２１８、初期リセット回路２２０と接続されている。
【００９４】
このＶＤＰ２１２は、いわゆるスプライト回路、スクリーン回路、及びパレット回路などの回路を含み、液晶表示装置３２に画像を表示させるための種々の処理を行うことができる装置である。つまり、ＶＤＰ２１２は、液晶表示装置３２に対する表示制御を行う。また、ＶＤＰ２１２には、液晶表示装置３２の表示領域３２ａに画像を表示するためのバッファとしての記憶媒体（例えば、ビデオＲＡＭ）を備えている。この記憶媒体の所定の記憶領域に画像データを記憶することによって、所定のタイミングで液晶表示装置３２の表示領域３２ａに画像が表示されることとなる。
【００９５】
画像データＲＯＭ２１６には、背景画像データ、演出画像データなどの各種の画像データが別個に記憶されている。もちろん、関連画像を示す関連画像データも記憶されている。
【００９６】
ＶＤＰ２１２は、サブＣＰＵ２０６から供給される画像表示命令に応じて、画像データＲＯＭ２１６から、背景画像データ、演出画像データなど、各種の画像データを読み出し、液晶表示装置３２に表示させる画像データを生成する。ＶＤＰ２１２は、生成した画像データを、後方に位置する画像データから順に重ね合わせてバッファに記憶し、所定のタイミングでＤ／Ａコンバータ２１８に供給する。このＤ／Ａコンバータ２１８は、画像データを画像信号として変換し、この画像信号を液晶表示装置３２に供給することにより、液晶表示装置３２に画像を表示させる。
【００９７】
また、音声制御回路２３０は、音声に関する制御を行う音源ＩＣ２３２、各種の音声データを記憶する音声データＲＯＭ２３４、音声信号を増幅するための増幅器２３６（以下、ＡＭＰと称する。）から構成されている。
【００９８】
この音源ＩＣ２３２は、サブＣＰＵ２０６、初期リセット回路２２０、音声データＲＯＭ２３４、ＡＭＰ２３６と接続されている。この音源ＩＣ２３２は、スピーカ４６から発生させる音声の制御を行う。
【００９９】
［主制御メイン処理］
図９を用いて、主制御メイン処理を説明する。
【０１００】
ステップＳ１１においては、初期化設定処理を行う。この処理において、メインＣＰＵ６６は、電源投入に応じて、メインＲＯＭ６８から起動プログラムを読み込むとともに、メインＲＡＭ７０に記憶されるフラグなどを初期化し、設定する処理を行う。この処理が終了した場合には、ステップＳ１２に処理を移す。
【０１０１】
ステップＳ１２においては、タイマ更新処理を行う。この処理において、メインＣＰＵ６６は、主制御回路６０と副制御回路２００との同期をとるための待ち時間タイマ、大当りが発生した際に開放する大入賞口３９の開放時間を計測するための大入賞口開放時間タイマなど、各種のタイマを更新する処理を実行するこの処理が終了した場合には、ステップＳ１３に処理を移す。
【０１０２】
ステップＳ１３においては、特別図柄制御処理を行う。この処理において、メインＣＰＵ６６は、特別図柄制御処理を行う。特別図柄制御処理については、後述する。この処理が終了した場合には、ステップＳ１５に処理を移す。
【０１０３】
ステップＳ１５においては、普通図柄制御処理を行う。この処理において、メインＣＰＵ６６は、通過球センサ１１４、１１５からの検知信号に応じて、乱数を発生し、メインＲＯＭ６８に記憶される普通図柄当選テーブルを参照し、普通図柄抽選が当選したか否かを判定し、判定の結果をメインＲＡＭ７０に記憶する処理を行う。この処理が終了した場合には、ステップＳ１６に処理を移す。
【０１０４】
ステップＳ１６においては、図柄表示装置制御処理を行う。この処理において、メインＣＰＵ６６は、ステップＳ１３、ステップＳ１５でメインＲＡＭ７０に記憶された特別図柄制御処理の結果と、普通図柄制御処理の結果に応じて、特別図柄表示器３５、普通図柄表示器３３と、ラウンド数表示器５１とを駆動するための制御信号をメインＲＡＭ７０に記憶する処理を行う。例えば、特別図柄表示器３５を駆動する場合、メインＣＰＵ６６は、駆動信号を特別図柄表示器３５に制御信号を送信する。特別図柄表示器３５は受信した駆動信号に基づき識別図柄を変動表示及び停止表示する。この処理が終了した場合には、ステップＳ１９に処理を移す。
【０１０５】
ステップＳ１９においては、ポート出力処理を行う。この処理において、メインＣＰＵ６６は、上記のステップなどでメインＲＡＭ７０に記憶される制御信号を各ポートに出力する処理を行う。具体的には、ランプ７４にＬＥＤ点灯のためのＬＥＤ電源（コモン信号）や扉駆動アクチュエータ１２３を駆動するための駆動電源を供給する。この処理が終了した場合には、ステップＳ２１に処理を移す。
【０１０６】
ステップＳ２１においては、演出制御コマンド出力制御処理を行う。この処理において、メインＣＰＵ６６は、演出制御コマンドを副制御回路２００への出力制御処理を行う。この処理が終了した場合には、ステップＳ２２に処理を移す。
【０１０７】
ステップＳ２２においては、払出処理を行う。この処理において、メインＣＰＵ６６は、大入賞口３９、始動口２５、一般入賞口５６ａ〜５６ｄに入賞があった場合、それぞれに対応する払出要求コマンドを払出・発射制御回路１２６の払出制御用ＣＰＵに送信する。この処理が終了した場合には、ステップＳ１２に処理を移す。
【０１０８】
［システムタイマ割込処理］
図１０を用いて、システムタイマ割込処理を説明する。
【０１０９】
ステップＳ４２においては、各レジスタを退避させる処理を行う。この処理において、メインＣＰＵ６６は、メインＲＡＭ７０の各レジスタ（記憶領域）に記憶される実行中のプログラムを退避させる処理を行う。この処理が終了した場合には、ステップＳ４３に処理を移す。
【０１１０】
ステップＳ４３においては、乱数更新処理を行う。この処理において、メインＣＰＵ６６は、メインＲＡＭ７０に記憶される大当たり判定用乱数（特別当たり判定乱数）、大当たり図柄乱数、普通当たり判定用乱数、初期値乱数、ラウンド数決定用乱数などの乱数を更新する処理を行う。この処理が終了した場合には、ステップＳ４６に処理を移す。
【０１１１】
ステップＳ４６においては、スイッチ入力検出処理を行う。この処理において、メインＣＰＵ６６は、カウントセンサ１０２、一般入賞球センサ１０６、１０８、１１０、１１２などのスイッチからの検知信号を検出する処理を行う。この処理が終了した場合には、ステップＳ４７に処理を移す。
【０１１２】
ステップＳ４７においては、各レジスタを復帰させる処理を行う。この処理において、メインＣＰＵ６６は、ステップＳ４２で退避したプログラムを各レジスタに復帰させる処理を行う。この処理が終了した場合には、ステップＳ４９に処理を移す。
【０１１３】
ステップＳ４９においては、割込み許可処理を行う。この処理において、メインＣＰＵ６６は、割込発生前のアドレスへ復帰する処理を行う。この処理が終了した場合には、本サブルーチンを終了し、メイン処理を実行させる。
【０１１４】
［特別図柄制御処理］
図９のステップＳ１３において実行されるサブルーチンについて図１１を用いて説明する。なお、図１１において、ステップＳ２００２からステップＳ２０２２の側方に描いた数値は、それらのステップに対応する制御状態フラグを示し、その制御状態フラグの数値に応じて、その数値に対応する１つのステップが実行され、特別図柄ゲームが進行することになる。
【０１１５】
ステップＳ２００２においては、特別図柄記憶チェック処理を行う。特別図柄記憶チェック処理について、詳しくは後述する。この処理が終了した場合には、ステップＳ２００４に処理を移す。
【０１１６】
ステップＳ２００４においては、特別図柄変動時間管理処理を行う。この処理において、メインＣＰＵ６６は、制御状態フラグが特別図柄変動時間管理を示す値（０１）であり、変動時間が経過した場合に、特別図柄表示時間管理を示す値（０２）を制御状態フラグにセットし、確定後待ち時間（例えば１秒）を待ち時間タイマにセットする。つまり、確定後待ち時間が経過した後、ステップＳ２００６の処理を実行するように設定する。この処理が終了した場合には、ステップＳ２００６に処理を移す。
【０１１７】
ステップＳ２００６においては、特別図柄表示時間管理処理を行う。この処理においては、メインＣＰＵ６６は、制御状態フラグが特別図柄表示時間管理を示す値（０２）であり、確定後待ち時間が経過した場合に、大当りか否かを判断する。メインＣＰＵ６６は、大当りである場合に、大当り開始インターバル管理を示す値（０３）を制御状態フラグにセットし、大当り開始インターバルに対応する時間（例えば１０秒）を待ち時間タイマにセットする。つまり、大当り開始インターバルに対応する時間が経過した後、ステップＳ７５の処理を実行するように設定するのである。一方、メインＣＰＵ６６は、大当りではない場合に、特別図柄ゲーム終了を示す値（０８）をセットする。つまり、ステップＳ８１の処理を実行するように設定するのである。この処理が終了した場合には、ステップＳ２００８に処理を移す。
【０１１８】
ステップＳ２００８においては、大当たり開始インターバル管理処理を行う。この処理において、メインＣＰＵ６６は、制御状態フラグが大当り開始インターバル管理を示す値（０３）であり、その大当り開始インターバルに対応する時間が経過した場合に、メインＲＯＭ６８から読み出された大入賞装置８０を開放させるためのデータをメインＲＡＭ７０に記憶する。そして、メインＣＰＵ６６は、図６のステップＳ１９の処理において、メインＲＡＭ７０に記憶された大入賞装置８０を開放させるためのデータを読み出し、大入賞装置８０を開放させる旨の信号を、扉駆動アクチュエータ１２３に供給する。このように、メインＣＰＵ６６などは、大入賞装置８０の開閉制御を行う。つまり、所定の有利な遊技状態（大入賞装置８０が遊技球を受け入れる状態から受け入れ不能状態までの遊技状態）が提供される一のラウンドゲームを複数回繰り返し行う可能性がある特別遊技が実行されることになる。この処理が終了した場合には、ステップＳ２０１０に処理を移す。
【０１１９】
ステップＳ２０１０においては、大入賞口再開放前待ち時間管理処理を行う。この処理において、メインＣＰＵ６６は、制御状態フラグが役物再開放前待ち時間管理を示す値（０６）であり、ラウンド間インターバルに対応する時間が経過した場合に、大入賞口開放回数カウンタを“１”増加するように記憶更新する。メインＣＰＵ６６は、役物開放中を示す値（０４）を制御状態フラグにセットする。メインＣＰＵ６６は、開放上限時間（例えば３０秒）を大入賞口開放時間タイマにセットする。つまり、ステップＳ７８の処理を実行するように設定するのである。この処理が終了した場合には、ステップＳ２０１２に処理を移す。
【０１２０】
ステップＳ２０１２においては、大入賞口開放中処理を行う。この処理において、メインＣＰＵ６６は、制御状態フラグが大入賞口開放中を示す値（０４）である場合に、大入賞口入賞カウンタが“１０”以上であるという条件、開放上限時間を経過した（大入賞口開放時間タイマが“０”である）という条件のいずれかを満たすか否かを判断する。メインＣＰＵ６６は、いずれかの条件を満たした場合に、大入賞装置８０を閉鎖させるために、メインＲＡＭ７０に位置付けられた変数を更新する。メインＣＰＵ６６は、大入賞口内残留球監視を示す値（０５）を制御状態フラグにセットする。メインＣＰＵ６６は、大入賞口内残留球監視時間（例えば１秒）を待ち時間タイマにセットする。つまり、大入賞口内残留球監視時間が経過した後、ステップＳ２０１４の処理を実行するように設定するのである。なお、メインＣＰＵ６６は、いずれの条件も満たさない場合には、上述した処理を実行しない。この処理が終了した場合には、ステップＳ２０１４に処理を移す。
【０１２１】
ステップＳ２０１４においては、大当たり終了インターバル処理を行う。この処理において、メインＣＰＵ６６は、制御状態フラグが大当り終了インターバルを示す値（０７）であり、大当り終了インターバルに対応する時間が経過した場合に、特別図柄ゲーム終了を示す値（０８）を制御状態フラグにセットする。つまり、ステップＳ８１の処理を実行するように設定するのである。また、メインＣＰＵ６６は、確変状態となる場合には、高確率フラグをメインＲＡＭ７０の所定領域にセットする。また、メインＣＰＵ６６は、時短状態となる場合には、メインＲＡＭ７０の所定領域に低確率時短フラグをセットする。ここで、本実施形態における確変状態とは、特別図柄ゲームの当選確率を高くした状態のことを指す。また、時短状態とは、普通図柄ゲームの当選確率を高くするとともに普通電動役物４８の羽根部材の開放時間を長くし、しかも、特別図柄ゲームの保留回数が０回又は１回の場合以外は変動時間を短くした状態のことを指す。この処理が終了した場合には、ステップＳ２０１８に処理を移す。
【０１２２】
ステップＳ２０１８においては、特別電動役物開放処理を行う。この処理において、メインＣＰＵ６６は、大入賞装置８０を開放する信号をメインＲＡＭ７０に記憶する処理を行う。この処理において、記憶された制御信号はステップＳ１９において送信される。この処理が終了した場合には、ステップＳ２０２２に処理を移す。
【０１２３】
ステップＳ２０２２においては、特別図柄ゲーム終了処理を行う。この処理が終了した場合には、本サブルーチンを終了する。このように、メインＣＰＵ６６は、遊技者にとって有利な大当り遊技へ当選するか否かの抽選を行う大当り抽選手段と、前記大当り抽選手段の抽選結果に基づいて、遊技者にとって有利な大当り遊技を実行する大当り実行制御手段の一例である。
【０１２４】
［特別図柄記憶チェック処理］
図１２を用いて、特別図柄記憶チェック処理を以下に説明する。
【０１２５】
ステップＳ２２０２においては、制御状態フラグが（００）であるか否かの判断を行い、制御状態フラグが（００）であると判別した場合には、ステップＳ２２０４に処理を移し、制御状態フラグが（００）であるとは判別しなかった場合には、本サブルーチンを終了する。
【０１２６】
ステップＳ２２０４においては、始動記憶数が０を超えるか否かを判断する処理を行う。この処理において、メインＣＰＵ６６が、始動記憶数（第１特別図柄記憶数や第２特別図柄記憶数）が０を超えると判断した場合には、ステップＳ２２０６に処理を移し、０を超えないと判断した場合にはステップＳ２２２２に処理を移す。
【０１２７】
ステップＳ２２０６においては、制御状態フラグとして（０１）をセットする処理を実行する。この処理において、メインＣＰＵ６６は、制御状態フラグとして（０１）をセットする処理を行う。この処理が終了した場合には、ステップＳ２２０８に処理を移す。
【０１２８】
ステップＳ２２０８においては、始動記憶数を１減少し、特別図柄記憶領域に転送する処理を行う。この処理において、メインＣＰＵ６６は、メインＲＡＭ７０の始動記憶領域（第１特別図柄記憶領域や第２特別図柄記憶領域）（１）〜（４）の値（大当たり判定用乱数、大当たり図柄決定用乱数）を、始動記憶領域（０）〜（３）へ転送する。この処理が終了した場合には、ステップＳ２２１０に処理を移す。
【０１２９】
ステップＳ２２１０においては、大当たり判定処理を行う。この処理において、メインＣＰＵ６６は、高確率状態（いわゆる確変）、低確率状態に応じて特別図柄決定テーブル（図示せず）を選択する。さらに、メインＣＰＵ６６は、始動記憶領域（０）の大当たり判定用乱数値の値が、選択された特別図柄決定テーブルに格納された値と一致しているか否かにより大当たりであるか否かを判断する。この処理が終了した場合には、ステップＳ２２１４に処理を移す。
【０１３０】
ステップＳ２２１４においては、特別図柄決定処理を行う。この処理において、メインＣＰＵ６６は、特別図柄を決定する処理を行う。より具体的には、メインＣＰＵ６６は、大当たり判定処理（ステップＳ２２１０）の結果に応じて、選択した特別図柄決定テーブル（図示せず）を参照し、特別図柄を決定する処理を行う。例えば、大当たり判定処理（ステップＳ２２１０）において大当たりと判定された場合、メインＣＰＵ６６は、特別図柄決定テーブルを参照し、特別図柄を選択し決定する。この処理が終了した場合には、ステップＳ２２１６に処理を移す。
【０１３１】
ステップＳ２２１６においては、特別図柄変動パターン決定処理を行う。この処理において、メインＣＰＵ６６は、特別図柄の変動パターンを決定する処理を行う。より具体的には、メインＣＰＵ６６は、大当たり判定処理（ステップＳ２２１０）の結果に応じて、特別図柄変動パターン決定テーブル（図示せず）を参照し、特別図柄変動パターンを決定する。この処理が終了した場合には、ステップＳ２２１８に処理を移す。
【０１３２】
ステップＳ２２１８においては、変動時間設定処理を行う。この処理において、メインＣＰＵ６６は、変動時間を設定する処理を行う。より具体的には、メインＣＰＵ６６は、決定した変動パターンから変動時間をセットする。例えば、メインＣＰＵ６６は、特別図柄変動パターンとして、特別図柄変動パターン４を決定したときには、変動時間として、１６．０秒をセットする。この処理が終了した場合には、ステップＳ２２２０に処理を移す。
【０１３３】
ステップＳ２２２０においては、記憶領域（０）の値をクリアする処理を行う。この処理において、メインＣＰＵ６６は、始動記憶領域（０）の値をクリアする処理を行う。この処理が終了した場合には、本サブルーチンを終了する。
【０１３４】
ステップＳ２２２２においては、デモ表示処理を実行する。この処理において、メインＣＰＵ６６は、デモ表示を行わせる処理を行う。この処理が終了した場合には、本サブルーチンを終了する。
【０１３５】
［実施例２］
図１３、図１４及び図１５は、本発明の遊技機の第２実施形態を示す。図１３は、本発明の第２実施形態のパチンコ遊技機における大入賞装置の断面図、図１４は、扉部の折り畳み状態を示す断面図、図１５は、図１３のB−B線断面図である。
【０１３６】
第２実施形態では、大入賞口８６の前部に誘導部材９６が取付けられている。誘導部材９６の上部に上向きの開口部９７を有し、この開口部９７から大入賞口８６に遊技球を誘導するようになっている。一対の扉部８１ａ、８１ｂの下部には、前方に突出する蓋部材９８が設けられ、この蓋部材９８は誘導部材９６の上部に位置し、開口部９７を開閉するようになっている。
【０１３７】
図１３に示すように、大当り遊技以外の通常遊技時には、扉部８１ａ、８１ｂは遊技盤１４の面と平行状態になっており、この状態では蓋部材９８が誘導部材９６の開口部９７を閉鎖し、遊技球が通過不能な第２の状態となっている（図１５参照）。
【０１３８】
大当り遊技に当選すると、扉部駆動アクチュエータ１２３により、図１４に示すように、扉部８１ａ、８１ｂの折り畳み部８５が遊技領域の前方に突出する状態に折り畳まれ、蓋部材９８が移動することにより、開口部９８を開放する。扉部８１ａ、８１ｂの入球口９２に入球された遊技球は、誘導部材９６の開口部９７に入球し、誘導部材９６を介して大入賞口８６に誘導され、大当り遊技が実行される。蓋部材９８は、図示のように板状のもののほか、複数の釘状のもの、あるいは網状のもの等、開口部９７に遊技球が入球不能になる部材であればよい。
【０１３９】
［実施例３］
図１６は、本発明の遊技機の第３実施形態を示す断面図である。第３実施形態では、扉部８１ａ、８１ｂは、複数対が横方向に並設されたものである。すなわち、大入賞口８６の前部に、一対の、第１の扉部８１ａ、８１ｂと第２の扉部８１ｃ、８１ｄが、上下のガイドレール９３，９４に取付けられた連結軸１００を介して連結されている。連結軸１００と反対側の外側端縁は、移動軸９９により上下のガイドレール９３，９４に移動自在及び回転自在に支持されている。
【０１４０】
図１６に示すように、折り畳み時は、第１の扉部８１ａ、８１ｂと第２の扉部８１ｃ、８１ｄの折り畳み部８５が同時に前方に突出し（このとき、外側端縁の軸は矢印方向に引き寄せられる）、２つの三角形状の入球口９２が形成される。したがって、大当り遊技のとき複数の入球口９２に遊技球が入球する様子を楽しむことができる。このように、第１の扉部８１ａ、８１ｂ及び第２の扉部は、複数対が横方向に並設されている扉部の一例である。
【０１４１】
［実施例４］
図１７は、本発明の遊技機の第４実施形態を示す遊技盤の概略正面図である。第４実施形態では、扉部８１ａ、８１ｂを備えた大入賞装置８０を遊技盤１４の上方に設け（以下、これを第１大入賞装置８０と称す）、この第１大入賞装置８０よりも下方に位置して、第２大入賞装置３９を設けたものである。第２大入賞装置３９としては、図示の例では、大入賞口を開閉するシャッタ４０を備えた従来の一般的な構造のものを採用しているが、本発明の第１大入賞装置８０と同一構造のものを採用してもよい。以下のように、本実施形態によれば、大当り遊技ごとあるいはラウンドごとに第１大入賞装置８０又は第２大入賞装置３９のいずれかを開放することが可能となる。
【０１４２】
［大当り開放パターンテーブル］
図１８（ａ）は、メインＲＯＭ６８に記憶される大当り開放パターンテーブル（１）を示す。大当り抽選の結果、確変大当りに当選の場合は、大入賞装置８０が開放、通常大当りのときは第２大入賞装置３９が開放される。図示の大当り開放パターンテーブル（１）は一例であって、他の態様であってもよい。
【０１４３】
図１８（ｂ）は、メインＲＯＭ６８に記憶される大当り開放パターンテーブル（２）を示す。大当りのラウンドゲームが、奇数ラウンドのときは、大入賞装置８０が開放、偶数ラウンドのときは第２大入賞装置３９が開放される。図示の大当り開放パターンテーブル（２）は一例であって、他の態様であってもよい。例えば、ラウンドゲームは、奇数ラウンド、偶数ラウンドに限定されず、任意のラウンドで大入賞装置８０か第２大入賞装置３９のいずれかを開放することができる。
【０１４４】
［特別図柄記憶チェック処理］
図１９を用いて、第４実施形態における特別図柄記憶チェック処理を以下に説明する。
【０１４５】
ステップＳ２２０２においては、制御状態フラグが（００）であるか否かの判断を行い、制御状態フラグが（００）であると判別した場合には、ステップＳ２２０４に処理を移し、制御状態フラグが（００）であるとは判別しなかった場合には、本サブルーチンを終了する。
【０１４６】
ステップＳ２２０４においては、始動記憶数が０を超えるか否かを判断する処理を行う。この処理において、メインＣＰＵ６６が、始動記憶数（第１特別図柄記憶数や、第２特別図柄記憶数）が０を超えると判断した場合には、ステップＳ２２０６に処理を移し、０を超えないと判断した場合にはステップＳ２２２２に処理を移す。
【０１４７】
ステップＳ２２０６においては、制御状態フラグとして（０１）をセットする処理を実行する。この処理において、メインＣＰＵ６６は、制御状態フラグとして（０１）をセットする処理を行う。この処理が終了した場合には、ステップＳ２２０８に処理を移す。
【０１４８】
ステップＳ２２０８においては、始動記憶数を１減少し、特別図柄記憶領域に転送する処理を行う。この処理において、メインＣＰＵ６６は、メインＲＡＭ７０の始動記憶領域（第１特別図柄記憶領域や、第２特別図柄記憶領域）（１）〜（４）の値（大当たり判定用乱数、大当たり図柄決定用乱数）を、始動記憶領域（０）〜（３）へ転送する。この処理が終了した場合には、ステップＳ２２１０に処理を移す。
【０１４９】
ステップＳ２２１０においては、大当たり判定処理を行う。この処理において、メインＣＰＵ６６は、高確率状態（いわゆる確変）、低確率状態に応じて特別図柄決定テーブル（図示せず）を選択する。さらに、メインＣＰＵ６６は、始動記憶領域（０）の大当たり判定用乱数値の値が、選択された特別図柄決定テーブルに格納された値と一致しているか否かにより大当たりであるか否かを判断する。この処理が終了した場合には、ステップＳ２２１４に処理を移す。
【０１５０】
ステップＳ２２１４においては、ステップＳ２２１０における判定処理の結果が大当りか否かを判断し、大当りであると判断した場合には、ステップＳ２２１６に処理を移し、大当りでない（はずれ）であると判断した場合には、ステップＳ２２２３に処理を移す。
する。
【０１５１】
ステップＳ２２１５においては、メインＣＰＵ６６は、大当り図柄を決定する処理を行う。より具体的には、メインＣＰＵ６６は、大当たり判定処理（ステップＳ２２１０）の結果に応じて、選択した大当り図柄決定テーブル（図示せず）を参照し、大当り図柄を決定する処理を行う。この処理が終了した場合には、ステップＳ２２１６に処理を移す。
【０１５２】
ステップＳ２２１６においては、図１８の開放パターンテーブルを参照して、大入賞装置８０又は第２大入賞装置３９のいずれを開放するかを選択し決定する。例えば、確変大当りのときは、大入賞装置８０を開放し、通常大当りとのきは第２大入賞装置３９を開放する。あるいは、大当りのラウンドゲームが、奇数ラウンドのときは、大入賞装置８０を開放、偶数ラウンドのときは第２大入賞装置３９が開放する。この処理が終了した場合には、ステップＳ２２１８に処理を移す。
【０１５３】
ステップＳ２２１８においては、変動時間設定処理を行う。この処理において、メインＣＰＵ６６は、変動時間を設定する処理を行う。より具体的には、メインＣＰＵ６６は、決定した変動パターンから変動時間をセットする。例えば、メインＣＰＵ６６は、特別図柄変動パターンとして、特別図柄変動パターン４を決定したときには、変動時間として、１６．０秒をセットする。この処理が終了した場合には、ステップＳ２２２０に処理を移す。
【０１５４】
ステップＳ２２２０においては、記憶領域（０）の値をクリアする処理を行う。この処理において、メインＣＰＵ６６は、始動記憶領域（０）の値をクリアする処理を行う。この処理が終了した場合には、本サブルーチンを終了する。
【０１５５】
ステップＳ２２２２においては、デモ表示処理を実行する。この処理において、メインＣＰＵ６６は、デモ表示を行わせる処理を行う。この処理が終了した場合には、本サブルーチンを終了する。
【０１５６】
ステップＳ２２２３においては、はずれ処理を実行する。この処理が終了した場合には、ステップＳ２２１８に処理を移す。このように、大入賞装置８０は、扉部を備えた大入賞装置の一例であり、第２大入賞装置３９は、大入賞装置よりも下方に位置して、該大入賞装置と同一構造又は別構造の第２大入賞装置の一例である。このように、メインＣＰＵ６６は、遊技者にとって有利な大当り遊技状態へ移行するか否かの抽選を行う大当り抽選手段と、大当り抽選手段の抽選に基づいて、遊技者にとって有利な大当り遊技を実行する大当り実行制御手段と、前記大当り抽選手段の抽選結果に基づいて、前記大当り遊技を実行する際に、大当り遊技ごとあるいはラウンドごとに前記大入賞装置又は第２大入賞装置のいずれを開放状態とするかを判定する大入賞装置判定手段の一例である。
【０１５７】
以上、説明したように、本実施形態によれば、大当り遊技以外のときは、一対の扉部８１ａ、８１ｂが遊技球が通過不能な第２の状態に移行して大入賞口８６を塞いでおり、大当り遊技時には一対の扉部８１ａ、８１ｂの折り畳み部８５が遊技盤の前方に突出する方向に折り畳まれて遊技盤面と一対の扉部８１ａ、８１ｂとの間に隙間が形成され、この隙間が大入賞口に通ずる入球口９２となり、遊技球が通過可能な第１の状態となり、ここに遊技球が入球して大当り遊技が実行される。このように、遊技領域において一対の扉部８１ａ、８１ｂが、前後に移動することにより、平面状態及び折り畳み状態に移行し、大入賞口８６が開閉されるので、従来のシャッタ部材による開閉動作に比べて、扉部８１ａ、８１ｂの動きにより遊技盤面での変化の面白みや意外性を持たせ、ダイナミックな演出により大当り遊技の単調さを解消した興趣に富む遊技機を提供することができる。
【０１５８】
また、本実施形態によれば、大当り遊技以外のときは、一対の扉部８１ａ、８１ｂの蓋部材９８が誘導部材９６の入球口を塞いでおり、大当り遊技時には折り畳み部が遊技盤の前方に突出する方向に折り畳まれると、蓋部材９８が移動して誘導部材９６の開口部９７が開放され、この開口部９７に遊技球が入球して大入賞口８６に誘導されて大当り遊技が実行される。このように、遊技領域において一対の扉部８１ａ、８１ｂが、前後に移動することにより、平面状態及び折り畳み状態に移行し、大入賞口に通ずる開口部が開閉されるので、従来のシャッタ部材による開閉動作に比べて、扉部８１ａ、８１ｂの動きにより遊技盤面での変化の面白みや意外性を持たせ、ダイナミックな演出により大当り遊技の単調さを解消した興趣に富む遊技機を提供することができる。
【０１５９】
また、本実施形態によれば、扉部８１ａ、８１ｂが折り畳まれたとき、入球口９２に導入された遊技球を底板部９１が受け止めて大入賞口８６に導入する。これにより、大入賞口８６が遊技盤に形成された前後方向に開口する構造であっても、底板部９１により遊技球の移動方向を変えて大入賞口８６に導入することができる。このように、遊技領域１５において一対の扉部８１ａ、８１ｂが、前後に移動することにより、平面状態及び折り畳み状態に移行し、大入賞口８６が開閉されるので、従来のシャッタ部材による開閉動作に比べて、扉部８１ａ、８１ｂの動きにより遊技盤面での変化の面白みや意外性を持たせ、ダイナミックな演出により大当り遊技の単調さを解消した興趣に富む遊技機を提供することができる。
【０１６０】
また、本実施形態によれば、複数対の扉部８１ａ、８１ｂを横方向に並設することにより、それぞれの扉部８１ａ、８１ｂの折り畳み時に、大入賞口８６に通ずる複数の入球口９２が形成され、大当り遊技のとき複数の入球口９２に遊技球が入球する様子を楽しむことができる。このように、遊技領域において一対の扉部８１ａ、８１ｂが、前後に移動することにより、平面状態及び折り畳み状態に移行し、大入賞口が開閉されるので、従来のシャッタ部材による開閉動作に比べて、扉部８１ａ、８１ｂの動きにより遊技盤面での変化の面白みや意外性を持たせ、ダイナミックな演出により大当り遊技の単調さを解消した興趣に富む遊技機を提供することができる。
【０１６１】
また、本実施形態によれば、第１大入賞装置８０の下方に、同一構造又は別構造の第２大入賞装置３９を設けることにより、大当り遊技ごとあるいはラウンドごとに第１大入賞装置８０又は第２大入賞装置３９のいずれかを開放することが可能となる。これにより、例えば、第１大入賞装置８０が閉鎖状態で第２大入賞装置３９が開放されている場合は、遊技球は第１大入賞装置８０に当たると跳ね返されて落下し、第２大入賞装置３９に入球し、あるいは、開放されている方の大入賞装置を狙うなどの遊技を楽しむことができ、第１大入賞装置８０及び第２大入賞装置３９の変化の面白みや意外性とあいまって、大当り遊技の単調さを解消することができる。このように、遊技領域において一対の扉部８１ａ、８１ｂが、前後に移動することにより、平面状態及び折り畳み状態に移行し、大入賞口が開閉されるので、従来のシャッタ部材による開閉動作に比べて、扉部８１ａ、８１ｂの動きにより遊技盤面での変化の面白みや意外性を持たせ、ダイナミックな演出により大当り遊技の単調さを解消した興趣に富む遊技機を提供することができる。
【０１６２】
以上、本発明の実施形態を説明したが、具体例を例示したに過ぎず、特に本発明を限定するものではない。すなわち、本発明は、主に、遊技球が転動する遊技領域を有する遊技盤と、遊技球が通過可能な第１の状態と通過不能な第２の状態とに移行可能な大入賞装置と、遊技者にとって有利な大当り遊技へ当選するか否かの抽選を行う大当り抽選手段と、前記大当り抽選手段の抽選に基づいて、前記大入賞装置が所定回数前記第１の状態となる大当り遊技を実行する大当り実行制御手段とを備え、前記大入賞装置は、前記遊技領域に設けられた大入賞口と、前記大入賞口に遊技球が通過可能な第１の状態と通過不能な第２の状態とに移行するように、前記遊技領域に設けられた少なくとも一対の扉部とを備え、前記一対の扉部は、互いの一端縁同士を互いにつき合させて回転自在に連結した折り畳み部と、前記折り畳み部と反対側の両外側端縁を回転自在及び左右方向に移動可能に前記遊技盤に支持した支持部とを有し、前記大当り遊技時に前記折り畳み部が前記遊技盤の前方に突出する方向に折り畳まれ、この状態で前記遊技盤面と前記一対の扉部との間に形成される隙間が前記大入賞口に通ずる入球口となるようにしたことを特徴とする遊技機であるが、遊技盤、大入賞装置、回転体などの具体的構成は、適宜設計変更可能である。
【０１６３】
なお、本発明の実施形態に記載された効果は、本発明から生じる最も好適な効果を列挙したに過ぎず、本発明による効果は、本発明の実施形態に記載されたものに限定されるものではない。
【図面の簡単な説明】
【０１６４】
【図１】本発明の第１実施形態のパチンコ遊技機における概観を示す斜視図である。
【図２】本発明の第１実施形態のパチンコ遊技機における概観を示す分解斜視図である。
【図３】本発明の第１実施形態のパチンコ遊技機における遊技盤の概観を示す正面図である。である。
【図４】本発明の第１実施形態のパチンコ遊技機における大入賞装置の拡大正面図
【図５】扉部の分解斜視図である。
【図６】図４のA−A線断面図である。
【図７】扉部の折り畳み状態を示す断面図である。
【図８】本発明の第１実施形態のパチンコ遊技機において実行される制御処理を示すフローチャートである。
【図９】本発明の第１実施形態のパチンコ遊技機において実行される制御処理を示すフローチャートである。
【図１０】本発明の第１実施形態のパチンコ遊技機において実行される制御処理を示すフローチャートである。
【図１１】本発明の第１実施形態のパチンコ遊技機において実行される制御処理を示すフローチャートである。
【図１２】本発明の第１実施形態のパチンコ遊技機において実行される制御処理を示すフローチャートである。
【図１３】本発明の第２実施形態のパチンコ遊技機における大入賞装置の断面図である。
【図１４】扉部の折り畳み状態を示す断面図である。
【図１５】図１３のB−B線断面図である。
【図１６】本発明の第３実施形態のパチンコ遊技機における大入賞装置の断面図である。
【図１７】本発明の第４施形態のパチンコ遊技機における遊技盤の概観を示す正面図である。
【図１８】本発明の第４実施形態のパチンコ遊技機において実行される制御処理を示すフローチャートである。
【図１９】本発明の第４実施形態のパチンコ遊技機において実行される制御処理を示すフローチャートである。
【符号の説明】
【０１６５】
１０  パチンコ遊技機
１４  遊技盤
１５  遊技領域
３９  第２大入賞装置
６０  主制御回路
６６  メインＣＰＵ
７０  メインＲＡＭ
８０  大入賞装置（第１大入賞装置）
８１ａ、８１ｂ、８１ｃ、８１ｄ  扉部
８５  折り畳み部
８６  大入賞口
８７  移動軸（支持部）
９２  入球口
９６  誘導部材
９７  開口部
９８  蓋部材
１２３  扉駆動アクチュエータ
【図１】
2009072454.tif 000003
【図２】
2009072454.tif 000004
【図３】
2009072454.tif 000005
【図４】
2009072454.tif 000006
【図５】
2009072454.tif 000007
【図６】
2009072454.tif 000008
【図７】
2009072454.tif 000009
【図８】
2009072454.tif 000010
【図９】
2009072454.tif 000011
【図１０】
2009072454.tif 000012
【図１１】
2009072454.tif 000013
【図１２】
2009072454.tif 000014
【図１３】
2009072454.tif 000015
【図１４】
2009072454.tif 000016
【図１５】
2009072454.tif 000017
【図１６】
2009072454.tif 000018
【図１７】
2009072454.tif 000019
【図１８】
2009072454.tif 000020
【図１９】
2009072454.tif 000021